(57)【要約】【課題】本発明は、中に入れた飲み物を長時間保温でき、しかも、耐久性の高いティーポットを提供することにある。【解決手段】ポット本体がガラスで形成してあるティーポットであって、前記ポット本体１の外周部の上部位置に、その全周に亘って気密性を有する閉塞部材３を介在して、ポット本体１を覆う外容器２を備え、前記ポット本体１と外容器２との間に、密閉された中空部Ｓを形成していることを特徴とする。【選択図】      図１
2004195183.tif 000002
【特許請求の範囲】
【請求項１】
ポット本体がガラスで形成してあるティーポットであって、前記ポット本体（１）の外周部の上部位置に、その全周に亘って気密性を有する閉塞部材（３）を介在して、ポット本体（１）を覆う外容器（２）を備え、
前記ポット本体（１）と外容器（２）との間に、密閉された中空部（Ｓ）を形成していることを特徴とするティーポット。
【請求項２】
ポット本体がガラスで形成してあり、さらに、ハンドルの操作によって前記ポット本体内を上下動する茶漉し具を備えたティーポットであって、
前記ポット本体（１）の外周部の上部位置に、その全周に亘って気密性を有する閉塞部材（３）を介在して、ポット本体（１）を覆う外容器（２）を備え、前記ポット本体（１）と外容器（２）との間に、密閉された中空部（Ｓ）を形成していることを特徴とするティーポット。
【請求項３】
前記閉塞部材（３）は、緩衝性能を兼ね備えた素材で形成していることを特徴とする請求項１又は２記載のティーポット。
【請求項４】
前記外容器（２）には、前記中空部（Ｓ）内の空気のみを外に抜き出せる逆止弁（５）が設けてあることを特徴とする請求項１、２又は３記載のティーポット。
【請求項５】
前記ポット本体（１）、又は／及び外容器（２）には、下端縁（１９）が、閉塞部材（３）の近傍位置にまで到達する蓋（６）が備えてあることを特徴とする請求項１、２、３又は４記載のティーポット。
【請求項６】
前記茶漉し具（１２）は、茶葉を収容し且つ該茶葉の成分の抽出部（Ｐ，３０）を備えた籠体（１４）と、ハンドル（１５）と連結し且つ該籠体（１４）をポット本体（１）内で上下動可能に支持する棒材（１３）とから構成し、
前記籠体（１４）は、ポット本体（１）の上部に位置決め可能に形成していることを特徴とする請求項２、３、４又は５記載のティーポット。
【請求項７】
前記籠体（１４）は、棒体（１３）に備わる上椀型パーツ（２２）と、該上椀型パーツ（２２）に連結手段を介して備わる下椀型パーツ（２３）とから構成し、
前記連結手段は、一方のパーツ（２２，２３）に備えた連結部位（２７）を、他方のパーツ（２２，２３）に備えた被連結部位（２８）に回動及び着脱可能に取り付けてあり、さらに、当該各パーツ（２２，２３）を閉じた状態に保持するストッパー（２１）を備えていることを特徴とする請求項６記載のティーポット。
【請求項８】
前記籠体（１４）における茶葉の抽出部（Ｐ，３０）には、成分の抽出を妨げない状態で補強部材（３１）を設けていることを特徴とする請求項６又は７記載のティーポット。
【発明の詳細な説明】
【０００１】
【発明の属する技術分野】
本発明は、例えば、紅茶や日本茶、或いはコーヒー等の暖かい飲み物を入れておくティーポットに関するものである。
【０００２】
【従来の技術】
この種のティーポットは、開閉蓋付きの有底筒型状をなすガラス製のポット本体の中に、使用者の操作によって上下動する茶漉し具を備えた構成のものが主流であった（例えば、特許文献１及び２参照。）。
【０００３】
【特許文献１】
実用新案登録第３０８８７８３号公報（第１図）
【特許文献２】
実用新案登録第３０８１８８７号公報（第１図）
【０００４】
【発明が解決しようする課題】
しかしながら、ティーポットの多くは意匠的な見栄えを優先しているため、その製造に際して保温効果がほとんど考慮されておらず、飲み物をティーポットに入れた後は、速やかに口にしなければならない不都合があった。また、この種のティーポットは、中の様子が容易に確認できるように、ポット本体にガラス製の容器が採用されており、このことから、その使用時において大変に割れやすく、しかも、破損時にこぼれた飲み物による火傷の危険性や、或いは、破損したポット本体のガラスの破片による怪我の危険性があり、使用者に対しては慎重な扱いを求めざるを得ないものであった。
【０００５】
本発明は、中に入れた飲み物を長時間保温でき、しかも、耐久性の高いティーポットを提供することにある。
【０００６】
【課題を解決するための手段】
本発明のうち請求項１記載の発明は、ポット本体がガラスで形成してあるティーポットであって、前記ポット本体の外周部の上部位置に、その全周に亘って気密性を有する閉塞部材を介在して、ポット本体を覆う外容器を備え、前記ポット本体と外容器との間に、密閉された中空部を形成していることを特徴とする。
【０００７】
また、本発明のうち請求項２記載の発明は、ポット本体がガラスで形成してあり、さらに、ハンドルの操作によって前記ポット本体内を上下動する茶漉し具を備えたティーポットであって、前記ポット本体の外周部の上部位置に、その全周に亘って気密性を有する閉塞部材を介在して、ポット本体を覆う外容器を備え、前記ポット本体と外容器との間に、密閉された中空部を形成していることを特徴とする。
【０００８】
ここでティーポットとは、茶葉から抽出する飲み物に限らず、例えば、コーヒー等の暖かい飲み物全般を入れておく際に使用する容器の全てを意味する概念である。さらに、ポット本体の上部位置とは、少なくとも、該ポット本体に入れた飲み物の水位よりも上方側にある箇所の全てについて含まれる概念である。また、閉塞部材は、中空部内の空気が外に抜け出さない素材で形成してあれば、特に限定するものではない。また、外容器については、特にその素材を限定するものではないが、例えば、硬質の樹脂等のように、比較的破損しにくい素材であればよい。さらに、前記外容器は、使用者がティーポット内の様子を伺えるように、透明或いは半透明な素材で形成してあることが望ましい。また外容器は、耐衝撃性を備える素材で形成してあることが望ましい。
【０００９】
このように形成すると、ポット本体と外容器の間に密閉された中空部が形成されることで、ティーポットの中に入れた飲み物の保温効果が飛躍的に高まることとなる。
【００１０】
本発明のうち請求項３記載の発明では、前記閉塞部材は、緩衝性能を兼ね備えた素材で形成しているので、例えば、使用者の不注意で本ティーポットを床に落とした場合であっても、外容器とポット本体との間に介在する閉塞部材が衝撃を吸収し、比較的破損しやすいガラス製のポット本体を保護できる。
ここで、気密性と緩衝性能を兼ね備えた素材としては、例えば、ゴムやウレタン、シリコン等が挙げられる。
【００１１】
暖かい飲み物を保温する場合には、請求項１、２又は３記載の構成のティーポットであっても充分であるが、本発明のうち請求項４記載の発明のように、前記外容器には、前記中空部内の空気のみを外に抜き出せる逆止弁が設けてあるので、例えば、本ティーポットを電子レンジなどで加温する場合、中空部内の膨張した許容量を超える過剰な空気が、前記逆止弁から外に抜け出し、該中空部内を常に一定の気圧に保つこととなる。
【００１２】
ここで逆止弁とは、弁と該弁により開閉される通気孔をも含んだ概念である。また逆止弁は、中空部から外への空気の流出のみを許可する機構のものであれば、その形状や大きさは限定しない。さらに、逆止弁を設ける箇所は、具体的には外容器の底部に設けているが、これについては特に限定するものではない。
【００１３】
ポット本体と外容器との間に介在した中空部による保温作用のみであっても、充分な保温効果が得られるが、本発明のうち請求項５記載の発明のように、前記ポット本体、又は／及び外容器には、下端縁が、閉塞部材の近傍位置にまで到達する蓋が備えてあるので、蓋と外容器によって、ポット本体の全体を包むように中空部が形成され、これにより、保温効果が一層高まることとなる。
【００１４】
ここで、蓋の下端縁の垂下位置については、閉塞部材と僅かに離れた位置でもよいし、或いは、蓋の開閉を妨げないものであれば、前記閉塞部材に当接した位置であってもよい。
【００１５】
本発明のうち請求項６記載の発明では、前記茶漉し具は、茶葉を収容し且つ該茶葉の成分の抽出部を備えた籠体と、ハンドルと連結し且つ該籠体をポット本体内で上下道可能に支持する棒材とから構成し、前記籠体は、ポット本体の上部に位置決め可能に形成しているので、ポット本体内に収容された飲み物の成分の抽出度合が適度な状態となったなら、籠体を蓋の近接位置に位置決めし、これにより、現状よりも茶葉の成分がポット本体内に抽出されないように調整できる。
【００１６】
ここでポット本体の上部とは、該ポット本体内に入れた飲み物の水位位置よりも上方側の箇所を指すものである。また、ポット本体の上部への籠体の位置決めを行なう手段としては、特に限定するものではないが、具体的には、棒材における籠体の近接位置に膨大部を設け、一方、蓋の裏面側に嵌凹部を設け、それぞれを嵌脱するものを挙げている。
【００１７】
本発明のうち請求項７記載の発明では、前記籠体は、棒体に備わる上椀型パーツと、該上椀型パーツに連結手段を介して備わる下椀型パーツとから構成し、前記連結手段は、一方のパーツに備えた連結部位を、他方のパーツに備えた被連結部位に回動及び着脱可能に取り付けてあり、さらに、当該各パーツを閉じた状態に保持するストッパーを備えているので、例えば、籠体の中の茶葉を取り替える場合には、このストッパーを解除して各パーツを開放可能な状態とすることで、下椀型パーツが重力をもって下方側に開くので、これにより茶葉の交換が容易に行なえ、しかも、茶漉し具を洗浄する場合であっても、まずはストッパーを解除し、次いで連結部位と被連結部位とを取り外せば、各パーツに分割できるので、個々にパーツを取り出して隅々まで洗浄できる。
【００１８】
ここで、連結手段を構成する連結部位と被連結部位は、各パーツの開け閉めを可能にした上で、当該各パーツの着脱をも可能にする構成をなすものが挙げられ、具体的には、一方のパーツに備えた軸体に対し、他方のパーツに備えた挟持部によって回転可能に保持したものを挙げている。また同様に、連結手段を構成するストッパーについては、各パーツを閉じた状態にキープし、これにより、籠体の中に入れた茶葉のポット本体内への流出を防ぐ手段となればよく、具体的には、各パーツに係合部分を設けたものを挙げている。
【００１９】
本発明のうち請求項８記載の発明は、前記籠体における茶葉の抽出部には、成分の抽出を妨げない状態で補強部材を設けているので、籠体において比較的強度の低い箇所となり得る抽出部周辺の部位の強度が確実に保たれ、これにより、籠体が飲み物からの熱の影響で変形することがない。
【００２０】
ここで補強部材の形態、及び該補強部材を設ける数については、この補強部材を設けた場合に籠体が飲み物の熱に耐え得る強度を保持していれば、特に限定するものではないが、具体的には、各パーツの抽出部をなす開放空間全体を交差する状態で４本の補強片を架け渡し、さらに各補強片の交差部分を棒材で支持したものが挙げられ、これにより、棒材を中心として籠体の支持力を増すとともに、各パーツの前後左右方向の変形を抑制するものである。また成分の抽出を妨げない状態とは具体的に、籠体において内部とポット本体との連通箇所が確保されている状態を意味し、その連通状態については特に限定するものではない。
【００２１】
【発明の実施の形態】
本発明のティーポットの実施形態を以下に説明する。
本実施形態のティーポットの具体的な構成は図１に示すように、上端部に茶湯の注ぎ口８を備える有底筒型状をなすガラス製のポット本体１と、該ポット本体１に重なるように当該ポット本体１の上部位置全周に亘って閉塞部材３を介在して固定される樹脂製の外容器２とからなり、このように形成することで、本ティーポットは、前記ポット本体１と外容器２の間において、密閉された中空部Ｓを形成することとなる。
尚、本実施形態のティーポットの外容器２については、中に入れた飲み物が使用者から容易に目視できるように、半透明な樹脂で形成してある。
【００２２】
まず、前記中空部Ｓの構成については、ポット本体１と外容器２の間の上方側の箇所に、その全周に亘ってゴム製の閉塞部材３が介在し、この閉塞部材３により、ポット本体１と外容器２間の間隔を保ちつつ、該中空部Ｓを密閉することとなる。さらに、前記中空部Ｓの下方側の箇所においても、前記ポット本体１を載せるような状態で、スポンジ状の支持部材４が介在し、外容器２からポット本体１をしっかりと位置決めしている。
【００２３】
また、前記中空部Ｓが上記のような構成をなすことで、気密性の保たれた空気層がポット本体１の周囲を囲む状態で設けられるので、この空気層の存在によって、ポット本体１の中に入れた飲み物の保温効果が飛躍的に高まり、飲み物が長時間暖かい状態を保ったまま収容されることになる。しかも、外容器２が樹脂製であることに加えて、前記ポット本体１と外容器２の間に介在された閉塞部材３及び支持部材４が、外容器２に受けた外部からの衝撃を吸収し、この結果、確実にガラス製のポット本体１を保護できる構成となっている。
尚、前記外容器２については、例えば、ウレタン等の気密性に加えて耐衝撃性を有する素材で形成してあれば、緩衝性能を有する閉塞部材３と相俟って、相乗的な衝撃吸収効果を得られることとなる。
【００２４】
さらに前記外容器２の底部には、中空部Ｓ内からの空気の抜け出しのみを許可する逆止弁５が設けてあり、この逆止弁５は、例えば、使用者が本ティーポットを電子レンジに入れて暖めた際に図２のように、加温によって熱膨張した中空部Ｓ内の空気が、逆止弁５の襞１１をめくって外容器２の底部にある通気孔９から抜け出す構造となっており、この結果、加温時の空気の熱膨張による破裂の恐れがなく、本ティーポットを一層安全に使用できる。
【００２５】
次に、本実施形態のティーポットの他の構成部分について説明する。
まず、本ティーポットには、上部に開閉自在な蓋６、そして側部には持手７がそれぞれ設けてあり、さらに前記蓋６の中心部には、茶漉し具１２が上下に摺動可能な状態で備えてある。そして、この茶漉し具１２は、蓋６の中心部から垂下する棒材１３の下端に、茶葉を入れる籠体１４が設けてあり、この籠体１４は、一対の椀型をなす２つのパーツ２２，２３が連結手段２１，２７，２８によって上下に開閉可能に連結してあり、さらに、蓋６の上部側にあるハンドル１５を掴んで上げ下げすることで、前記籠体１４がポット本体１内を上下に摺動し、該籠体１４内に入れた茶葉から前記ポット本体１内のお湯に成分が抽出される。
【００２６】
また、前記籠体１４は図３、図４のように、使用者がハンドル１５を上方に持ち上げた際に、該籠体１４を蓋６側にそのまま位置決めできる構成となっている。更に前記籠体１４の位置決め構造を詳しく説明すると、蓋６側には、図示はしないが等間隔に複数の割り溝を備えるリング状の嵌凹部１６を備えており、一方の籠体１４側には、棒材１３よりも僅かに径の大きな差込部１７が設けてあり、これにより、使用者がハンドル１５を上方に持ち上げた場合には、前記嵌凹部１６を押し広げるように差込部１７が入り込み、籠体１４が蓋６にしっかりと保持される。しかも、茶葉の入った籠体１４をポット本体１内の上方位置に保持しておくことで、いつまでも飲み物の中に籠体１４内の茶葉が浸されることがなく、これにより、飲み物の濃度を使用者の好みの状態に設定できるので、常に飲み頃の飲み物をたしなむことができる。
【００２７】
また図５と図６に基づいて、前述した籠体１４の更に詳細な構成説明を行なう。
まず、この籠体１４を構成する各パーツ２２，２３には図５のように、上方側から見た場合、リング状をなす各パーツ２２，２３外殻部の中央の開放部分Ｐに網３０を備えており、この網３０を介して、籠体１４内に収容した茶葉の流出を防ぎつつ、該茶葉の成分のみをポット本体１内に抽出することとなる。また、前記開放部分Ｐには、棒材１３を中心に９０°間隔に４本の補強片３１が放射状に設けてあり、さらに、前記補強片３１と重なるように網３０が張られることとなる。そして、この補強片３１が籠体１４を構成する各パーツ２２，２３の開放部分Ｐに備えられることで、飲み物が有する熱の影響による籠体１４の変形が防止され、この結果、各パーツ２２，２３の嵌め合わせが常に正確な状態で行なえることから、籠体１４からポット本体１内への茶葉の不意な流出を防ぐものとなる。
【００２８】
また、各パーツ２２，２３の連結手段の構成は図６に示すように、まず上椀型パーツ２２の端部には、挟持部２７が設けてあり、この挟持部２７の構成は、該上椀型パーツ２２の側部において、横方向に突出し且つ先端側がそれぞれ内向きに曲がった計３箇所の鈎状部位を上下に間隔をあけて設けたものである。次に、下椀型パーツ２３の端部上側には、前述した挟持部２７と回動可能に連結される軸体２８が設けてあり、この軸体２８の構成は、下椀型パーツ２３の端部において、上方に向けて突出した各支持部材が設けてあり、さらに当該各支持部材間に軸棒を架設したものである。そして、この軸体２８を前記挟持部２７により挟み込むことで、図７（ａ）（ｂ）のように、茶葉を捨てる際には、手を汚さずに簡単に茶漉し具１２を操作することができる。
【００２９】
さらに前記籠体１４は、上椀型パーツ２２の下端縁に設けた外向きに彎曲する係止爪と、下椀型パーツ２３の上端縁に設けた内向きに彎曲した被係止爪とが、嵌脱可能に係合してなるストッパー２１によって、各パーツ２２，２３を閉じた状態でしっかりとロックできる構成となっている。これにより使用者は、籠体１４内に茶葉を入れた後に当該籠体１４を閉じて、さらにストッパー２１をロックすることで、使用中に各パーツ２２，２３が不意に開くことなく、安心して茶漉し具１２を使用できる。
【００３０】
さらに、蓋６の下端縁１９は、その全周に亘って閉塞部材３に近い位置にまで垂下しており、これは、蓋６と外容器２とが、ポット本体１のほぼ全体を包み込むように覆っていることで、前記ポット本体１内の保温効果がより一層高まる構造となるためである。
【００３１】
【発明の効果】
本発明のうち請求項１及び２記載の発明によれば、ポット本体の周りを、外容器との間隔によって形成された中空部による密閉された空気層が取り巻くので、ポット本体に入れた飲み物の保温効果が飛躍的に高まることになる。
【００３２】
本発明のうち請求項３記載の発明によれば、請求項１及び２記載の発明の効果に加えて、例えば、本ティーポットを不意に落とした場合であっても、閉塞部材が衝撃を吸収し、ガラスで形成されたポット本体であっても確実に保護できる。
【００３３】
本発明のうち請求項４記載の発明によれば、請求項１、２及び３記載の発明の効果に加えて、例えば、お茶を入れたティーポットをそのまま電子レンジで温めた場合であっても、中空部内の熱膨張した過剰な空気を逆止弁から外に逃がすので、一層安全にティーポットを使用できる。
【００３４】
本発明のうち請求項５記載の発明によれば、請求項１、２、３及び４記載の発明の効果に加えて、蓋と外容器によって、ポット本体を全体的に包み込むような構成となるので、保温効果を一層高めることができる。
【００３５】
本発明のうち請求項６記載の発明によれば、請求項２、３、４及び５記載の発明の効果に加えて、茶漉し具をティーポットの上部位置に保持しておけるので、ポット本体内の飲み物が一定の濃度となった際に、それ以上の飲み物への茶葉の成分の抽出を留めることができ、使用者は何時でも美味しい飲み物をたしなむことができる。
【００３６】
本発明のうち請求項７記載の発明によれば、請求項６記載の発明の効果に加えて、茶漉し具の籠体を開閉、及び分割できるので、茶葉の交換の際や、或いは茶漉し具を洗浄する際に、使用者は容易に作業できる。
【００３７】
本発明のうち請求項８記載の発明によれば、請求項６及び７記載の発明の効果に加えて、飲み物の熱による籠体の変形が防がれるので、茶漉し具を長期間使用できる。
【図面の簡単な説明】
【図１】本発明のティーポットを示す縦断面図である。
【図２】図１中のＡを拡大して示す説明図である。
【図３】本発明のティーポットの使用の一例を説明する縦断面図である。
【図４】図３中のＢを拡大して示す説明図である。
【図５】本発明の茶漉し具の平面図である。
【図６】本発明の茶漉し具のうち、籠体を拡大して示す斜視図である。
【図７】（ａ）（ｂ）
本発明の茶漉し具の使用状態を示す説明図である。
【符号の説明】
１  ポット本体
２  外容器
３  閉塞部材
５  逆止弁
６  蓋
１２  茶漉し具
１３  棒材
１４  籠体
１５  ハンドル
１９  下端縁
２１  ストッパー
２２  上椀型パーツ
２３  下椀型パーツ
２７  挟持部（連結部位）
２８  軸体（被連結部位）
３０  網（抽出部）
３１  補強片（補強部材）
Ｐ  開放部分（抽出部）
Ｓ  中空部
【図１】
2004195183.tif 000003
【図２】
2004195183.tif 000004
【図３】
2004195183.tif 000005
【図４】
2004195183.tif 000006
【図５】
2004195183.tif 000007
【図６】
2004195183.tif 000008
【図７】
2004195183.tif 000009